(57)【要約】      （修正有）【課題】飲料等を充填した２〜４本の缶容器の上周縁巻締め鍔部を同時に連結、結束して携行とスタッキングを可能とし、各種の袋入り景品又はおつまみ等の小物収容部付き缶容器のキャップ体を提供する。【解決手段】ほぼ瓢箪状に形成され、その下端内周壁には環状の保持溝１、係止部２、テーパー面２ａを形成し、上面周縁部には立上り部Ｐｂを立設し、缶容器Ａ、Ｂの鍔部ａ、ｂの半周以上を嵌合、係止し、キャップ体Ｐの中央内側には、下方を開口した小物収容部３を設け、把持部４は、缶容器Ａ、Ｂの接合部Ｓに向って形成した円弧状の外周壁で、これに対応するキャップ体Ｐの内壁と小物収容部３の近接部位に、リブを設けた。【選択図】図２
0003106726.tif 000002
【実用新案登録請求の範囲】
【請求項１】
飲料等を充填した２〜４本の缶容器を、一纏めに連結・結束して携行可能なキャップ体であって、
前記キャップ体の下端部内周壁に環状の保持溝と係止部を形成し、上面周縁部には立上り部を立設すると共に、把持部を設けかつ、キャップ体の内側に、下方を開口した小物収容部を設けたことを特徴とする、複数の缶容器を携行可能な小物収容部付きキャップ体。
【請求項２】
前記把持部が、連接された缶容器の接合部に向かって、平面視円弧状とした複数の外周壁の凹部であることを特徴とする、請求項１記載の、複数の缶容器を携行可能な小物収容部付きキャップ体。
【請求項３】
前記係止部にはテーパー面が形成されていることを特徴とする、請求項１ないし請求項２記載の、複数の缶容器を携行可能な小物収容部付きキャップ体。
【請求項４】
前記外周壁の凹部に対応する内壁と小物収容部が近接する部位に、垂直状のリブを形成したことを特徴とする、請求項１ないし請求項３記載の、複数の缶容器を携行可能な小物収容部付きキャップ体。
【請求項５】
前記キャップ体の上面、正面、背面又は側面には、小物収容部内に収容されている内容物又は広告対象物等を表示していることを特徴とする、請求項１ないし請求項４記載の、複数の缶容器を携行可能な小物収容部付きキャップ体。
【請求項６】
前記キャップ体の素材が、少なくともポリプロピレン、アクリロニトリルブタジエンスチレン樹脂又はポリエチレン等の熱可塑性合成樹脂のいずれかであることを特徴とする、請求項１ないし請求項５記載の、複数の缶容器を携行可能な小物収容部付きキャップ体。
【考案の詳細な説明】
【技術分野】
【０００１】  本考案は、複数の缶容器を携行可能な小物収容部付き缶容器のキャップ体に係り、さらに詳しくは、飲料等を充填した２〜４本の缶容器の上周縁巻締め鍔部を同時に連結、結束して携行可能であると共に、複数の缶容器をスタッキング可能な、小物収容部付き缶容器のキャップ体に関する。
【背景技術】
【０００２】  近年、清涼飲料、アルコール飲料等を充填した缶容器が多量に使用されている。その理由は、瓶容器に較べて軽量で、製造コストも安価であり、かつコップ等が不要であり、さらに行楽、アウトドアスポーツに好適である等々が挙げられる。【０００３】  複数の缶容器類を連結、結束して携行可能とする携行具も種々提案されている。例えば、特開平１０−２１８２３１、特開平７−８９５７３、実開平６−３８６５等があるが、いずれも複数の缶容器を連結し、把手部等を持って運搬ないし携行することを主目的としており、小物類の収容部は設けられてはいない。【０００４】  一方、缶容器の上部又は下部に、各種の袋入りの景品、玩具、フィギュア（人形）又はおつまみ等小物類の収容部を設けた例えば、特開２０００−１７７７４４、実開平６−１１６３４等が開示されている。これらは、単体の缶容器の上部又は下部に、袋入り景品等の小物類収容部は設けられてはいるが、複数の缶容器を連結、結束して携行する手段は設けられてはいない。
【特許文献１】特開平１０−２１８２３１号公報
【特許文献２】特開平７−８９５７３号公報
【特許文献３】実開平６−３８６５号公報
【特許文献４】特開２０００−１７７７４４号公報
【特許文献５】実開平６−１１６３４号公報
【考案の開示】
【考案が解決しようとする課題】
【０００５】  本考案の目的は、上記の特許文献１ないし特許文献５のいずれもが有しない特長である、飲料等を充填した２〜４本の缶容器の上周縁巻締め鍔部を同時に連結、結束して携行かつ缶容器を複数段スタッキング可能とし、各種の袋入りの景品、玩具、フィギュア（人形）又はおつまみ等小物収容部付き缶容器のキャップ体を提供することにある。
【課題を解決するための手段】
【０００６】  上記の課題を解決するための第１の考案は、飲料等を充填した２〜４本の缶容器を、一纏めに連結・結束して携行可能なキャップ体であって、前記キャップ体の下端部内周壁に環状の保持溝と係止部を形成し、上面周縁部には立上り部を立設すると共に、把持部を設けかつ、キャップ体の内側に、下方を開口した小物収容部を設けたことを特徴としている。【０００７】  第２の考案は、請求項１記載の複数の缶容器を携行可能な小物収容部付きキャップ体において、前記把持部が、連接された缶容器の接合部に向かって、平面視円弧状とした複数の外周壁の凹部であることを特徴としている。【０００８】  第３の考案は、請求項１ないし請求項２記載の複数の缶容器を携行可能な小物収容部付きキャップ体において、前記係止部にはテーパー部が形成されていることを特徴としている。【０００９】  第４の考案は、請求項１ないし請求項３記載の複数の缶容器を携行可能な小物収容部付きキャップ体において、前記外周壁の凹部に対応する内壁と小物収容部が近接する部位に、垂直状のリブを形成したことを特徴としている。【００１０】  第５の考案は、請求項１ないし請求項４記載の複数の缶容器を携行可能な小物収容部付きキャップ体において、前記キャップ体の上面、正面、背面又は側面には、小物収容部内に収容されている内容物を表示していることを特徴としている。【００１１】  第６の考案は、請求項１ないし請求項５記載の複数の缶容器を携行可能な小物収容部付きキャップ体において、前記キャップ体の素材が、少なくともポリプロピレン、アクリロニトリルブタジエンスチレン樹脂又はポリエチレン等の熱可塑性合成樹脂のいずれかであることを特徴としている。
【考案の効果】
【００１２】  本考案に係る、複数の缶容器を携行可能な小物収容部付きキャップ体は、上記の構成になるから以下の効果を奏する。即ち、第１及び第５の考案によれば、キャップ体の下端部内周壁に環状の保持溝と係止部を形成しているので、飲料等を充填した２〜４本の缶容器の上周縁巻締め鍔部を確実に係止できる。また上面周縁部には立上り部が立設されているので、複数の缶容器を順次スタッキングでき、車のトランクルーム等を有効に活用できる。またキャップ体の内側に、下方を開口した小物収容部を設けているので、各種の袋入りの景品、玩具、フィギュア（人形）又はおつまみ等を簡便に収容することができ、またキャップ体の上面、正面、背面又は側面には、小物収容部内に収容されている内容物又は広告対象物等を表示しているので販売促進と広告、宣伝等にも有効に活用でき、さらにコップ等が不要なので行楽、アウトドアスポーツに好適な携行具となると共に、キャップ体は缶容器から取り外された後は、これを反転して受け皿として使用できる。【００１３】  第２の考案によれば、把持部が、連接された缶容器の接合部に向かって、平面視円弧状とした複数の外周壁の凹部なので、吊り具や把手部等を設けることなく、片手で把持して携行できる。【００１４】  第３の考案によれば、係止部にはテーパー面が形成されているので、缶容器の上周縁巻締め鍔部への着脱が容易である。【００１５】  第４の考案によれば、外周壁の凹部に対応する内壁と小物収容部が近接する部位に、垂直状のリブを形成しているので、キャップ体の保形性が高められる。【００１６】  第６の考案によれば、キャップ体の素材が、少なくともポリプロピレン、アクリロニトリルブタジエンスチレン樹脂又はポリエチレン等の熱可塑性合成樹脂のいずれかであるので、製品重量は軽量となり、かつ一体成型が可能であり、大量生産できるので製造コストが安価となる。
【考案を実施するための最良の形態】
【００１７】  以下、本考案に係る、複数の缶容器を携行可能な小物収容部付きキャップ体（以下、キャップ体Ｐという）に関する好適な実施形態について、図面を参照しながら説明する。図１は、キャップ体Ｐの斜視図、図２は、図１の２−２線断面図、図３は、キャップ体Ｐ２の第２の実施形態を示す平面図、図４は、キャップ体Ｐ３の第３の実施形態を示す平面図である。【００１８】  図１ないし図２に示すキャップ体Ｐは、例えばアルコール飲料等を充填した缶容器Ａ及びＢの２個を連結、結束するもので、外観上ほぼ瓢箪状に形成され、その下端部内周壁には環状の保持溝１と係止部２及びテーパー面２ａが形成され、缶容器Ａ及びＢそれぞれの上周縁巻締め鍔部ａ及びｂのほぼ半周以上を嵌合、係止する。キャップ体Ｐの上面周縁部には立上り部Ｐｂが立設され、またその中央内側には、下方を開口した小物収容部３が設けられ、袋詰めのおつまみＫ等が両面接着テープＴでキャップ体Ｐの下面Ｐａに止着されている。なお小物収容部３は、図１に示す仮想線（二点鎖線）のように外形線に沿って瓢箪状にすることもできる。【００１９】  ４、４’は把持部であり、缶容器Ａ及びＢの接合部Ｓ（図２、参照）に向って形成された平面視円弧状の外周壁で、該把持部４、４’に対応するキャップ体Ｐの内壁と小物収容部３が近接する部位に、把持部４、４’を補強する垂直状のリブ５、５’が設けられている。【００２０】  ６は、小物収容部３内に収容されているおつまみ等の内容物Ｋを示す表示で、キャップ体Ｐの上面、正面、背面又は側面に印刷又はシールとして貼付され、商品名やスポンサー名等を表示して広告媒体とすることも可能である。【００２１】  キャップ体Ｐの製造素材は、ポリプロピレン、ＡＢＳ樹脂（アクリロニトリルブタジエンスチレン樹脂）又はポリエチレン等の熱可塑性合成樹脂のうちから選択され、公知技術の射出成型法等によって一体的に製造される。【００２２】  次にキャップ体Ｐの使用について説明する。その缶容器Ａ及びＢへの装着は、まずおつまみＫ等が封入された袋の上面に貼付された両面接着テープＴの片面を、キャップ体Ｐの下面Ｐａに止着した後、缶容器Ａ及びＢの上周縁巻締め鍔部ａ及びｂにキャップ体Ｐの係止部２のテーパー面２ａを当接し、これを上方から下方に押圧すれば、上周縁巻締め鍔部ａ及びｂは、テーパー面２ａを外方に拡開しながら保持溝１に嵌合され、係止部２のテーパー面２ａは、合成樹脂の弾性力で原型形状となり、鍔部ａ及びｂの下面を確実に係止する。これを携行するときは、把持部４、４’を片手の親指、中指、薬指等でつり下げて携行する。【００２３】  キャップ体Ｐを缶容器Ａ及びＢから取り外すときは、一方の手で把持部４、４’を掴み、他方の手で缶容器Ａ又はＢの胴部ｃ又はｄを掴み、一方の手の把持部４、４’を僅かにひねると、鍔部ａ及びｂはキャップ体Ｐの保持溝１から解放される。おつまみＫ等は袋から出されて、小物収容部３内に収容されキャップ体Ｐは受け皿として使用される。【００２４】  他に連結、結束された缶容器Ａ’、Ｂ’は、図１及び図２に示すように、キャップ体Ｐの上面周縁部に立設された立上り部Ｐｂ内に保持されて、順次、複数段スタッキングすることもできる。【００２５】  図３は、缶容器Ａ、Ｂ及びＣ、３本の缶容器を連結、結束するキャップ体Ｐ２を示し、平面視ほぼ三角形状とされ、図１及び図２のキャップ体Ｐと同様に下端部内周壁には環状の保持溝と係止部及びテーパー面が形成され、缶容器Ａ、Ｂ及びＣそれぞれの上周縁巻締め鍔部のほぼ半周以上を嵌合、係止する。キャップ体Ｐ２の内側には、下方を開口した小物収容部２３が設けられ、把持部２４、２４’、２４’’は、缶容器Ａ、Ｂ、Ｃの接合部Ｓに向って形成された円弧状の外周壁であって、該把持部２４、２４’、２４’’に対応するキャップ体Ｐ２の内壁と小物収容部２３が近接する部位に、把持部２４、２４’、２４’’を補強する垂直状のリブ２５、２５’、２５’’が設けられている。キャップ体Ｐ２の着脱は、キャップ体Ｐとほぼ同様なので、説明は省略する。【００２６】  図４は、缶容器Ａ、Ｂ、Ｃ、Ｄ４本の缶容器を連結、結束するキャップ体Ｐ３を示し、平面視ほぼ四角形状とされ、図１及び図２のキャップ体Ｐと同様に下端部内周壁には環状の保持溝と係止部及びテーパー面が形成され、缶容器Ａ、Ｂ、Ｃ及びＤそれぞれの上周縁巻締め鍔部のほぼ半周以上を嵌合、係止する。キャップ体Ｐ３の内側には、下方を開口した小物収容部３３が設けられ、把持部３４、３４’、３４’’、３４’’’は、缶容器Ａ、Ｂ、Ｃ、Ｄの接合部Ｓに向って形成された円弧状の外周壁であり、該把持部３４、３４’、３４’’、３４’’’に対応するキャップ体Ｐ３の内壁と小物収容部３３が近接する部位に、把持部３４、３４’、３４’’、３４’’’を補強する垂直状のリブ３５、３５’、３５’’、３５’’’が設けられている。キャップ体Ｐ３の着脱は、キャップ体Ｐとほぼ同様なので、説明は省略する。
【図面の簡単な説明】
【００２７】
【図１】本考案に係る、複数の缶容器を携行可能な小物収容部付きキャップ体の斜視図である。
【図２】図１の２−２線断面図である。
【図３】本考案に係る、第２の実施形態を示す平面図である。
【図４】本考案に係る、第３の実施形態を示す平面図である。
【符号の説明】
【００２８】Ｐ、Ｐ２、Ｐ３                      キャップ体
Ａ、Ｂ、Ｃ、Ｄ                      缶容器
Ａ’、Ｂ’                          缶容器
Ｐｂ                                立上り部
ａ                                  缶容器Ａの上周縁巻締め鍔部
ｂ                                  缶容器Ｂの上周縁巻締め鍔部
１                                  保持溝
２                                  係止部
２ａ                                テーパー面
３、２３、３３                      小物収容部
４、４’                            把持部
２４、２４’、２４’’              把持部
３４、３４’、３４’’、３４’’’  把持部
５、５’                            リブ
２５、２５’、２５’’              リブ
３５、３５’、３５’’、３５’’’  リブ
６                                  表示
Ｓ                                  接合部
【図１】
0003106726.tif 000003
【図２】
0003106726.tif 000004
【図３】
0003106726.tif 000005
【図４】
0003106726.tif 000006